(57)【特許請求の範囲】
【請求項１】
錠箱内にトリガー及び該トリガーによって回動し、かつ、デッドボルトの係合部と係合する係止レバーを備える扉用錠箱のラッチボルト出没機構に於いて、前記デッドボルト１５と常時係合する係合アーム部３０を有すると共に、独立したハンドルカム軸２５、２６にそれぞれ一体的に取付けられた１組の第１及び第２ボルト駆動体２１、２２と、これらのボルト駆動体のカム部３１にそれぞれ摺接するように配設され、かつ、回転する第１又は第２ボルト駆動体２１、２２の駆動力にそれぞれ対応して水平移動する第１及び第２可動支持片３６、３７と、これらの可動支持片にそれぞれ水平状態に支持され、かつ、バネ部材４６、４７のバネ力によりこれらの可動支持片にそれぞれ追従する第１及び第２ラッチボルト４１、４２とを備え、前記ラッチボルト４１、４２の係合先端部４３は、操作者が扉３を自己が現に居る室内側に開くことができるようにそれぞれ反対向きに設定されている扉用錠箱のラッチボルト出没機構。
【請求項２】
請求項１に於いて、第１及び第２ラッチボルト４１、４２は、操作部材の非操作時には復帰バネ４７のバネ力により錠箱内に後退し、一方、操作部材の操作時には、当該操作部材の操作に起因して作動するボルト駆動体及び可動支持片側のラッチボルトのみが錠箱から突出することを特徴とする扉用錠箱のラッチボルト出没機構。
【請求項３】
錠箱内にトリガー及び該トリガーによって回動し、かつ、デッドボルトの係合部と係合する係止レバーを備える扉用錠箱のラッチボルト出没機構に於いて、デッドボルト１５と常時係合する係合アーム部３０を有すると共に、独立したハンドルカム軸２５、２６にそれぞれ一体的に取付けられた２枚で１組の第１及び第２ボルト駆動体２１、２２と、これらのボルト駆動体のカム部３１にそれぞれ摺接するように配設され、かつ、回転する第１又は第２ボルト駆動体２１、２２の駆動力にそれぞれ対応して水平移動する第１及び第２可動支持片３６、３７と、これらの可動支持片にそれぞれ水平状態に支持され、かつ、係合先端部４３と可動支持片との間に設けられラッチバネのバネ力によりこれらの可動支持片にそれぞれ追従して錠箱から突出する第１及び第２ラッチボルト４１、４２と、操作部材の普通一般の常態時に、これらのラッチボルトを錠箱内へと後退させるために前記可動支持片にそれぞれ一端部が取付けられた復帰バネ４７とを備え、前記ラッチボルトの係合先端部４３は、操作者が扉３を自己が現に居る室内側に開くことができるようにそれぞれ反対向きに設定されている扉用錠箱のラッチボルト出没機構。
【請求項４】
請求項３に於いて、錠箱に設けられたデッドボルト１５は、操作部材の普通一般の常態時には、錠箱内に設けたバネ支持板１９の付勢バネ１７のバネ力により突出し、一方、操作部材の操作時には、当該操作部材の操作に起因して作動するボルト駆動体２１（又は２２）の係合アーム部３０により錠箱内に引き戻されることを特徴とする扉用錠箱のラッチボルト出没機構。
【請求項５】
請求項４に於いて、デッドボルト１５は、受け金具２の係止孔６に係合する係合頭部１５ａと連設する杆状胴体部１５ｂを有し、この杆状胴体部１５ｂには係合部１６が形成され、この係合部１６には、受け金具２に設けた第１磁性体５の極性に対応して駆動する第２磁性体１０を有するトリガー１１の回転によって係止が解かれる係止レバー１３が係合すること特徴とする扉用錠箱のラッチボルト出没機構。
【発明の詳細な説明】
【０００１】
【発明の属する技術分野】
本発明は扉用錠箱のラッチボルト出没機構に関する。本発明は、特に建物の扉枠に対し、扉を室内側又は室外側のいずれにでも開くことができるように取付けた、いわゆるスイング方式の扉の場合に適合する。
【０００２】
【従来の技術】
一般に建物の扉枠に取付けられた扉は、室内側か又は室外側かいずれ一方へ開くことができるように取付けられている。具体的には建物内には幾つかの区画された部屋があり、各部屋の出入り口には、普通一般にラッチボルト出没機構を有する扉が設けられている。この場合各部屋の扉は、居住者等の利便性を考慮し、操作者がレバーハンドルを現に操作する室内側にのみ開くようにするか、又は室外側にのみ開くように戸枠に取付けられている。つまり、普通一般に使用されているラッチボルト出没機構付き扉は、スイング方式ではない、
ところで、後者のように扉を室外側に開いた時に、当該扉の側に居た人にぶつかる場合がある。このような場合、扉が打ち当たった人が家族や知人ならば特に問題はないが、他人であれば感情的なトラブルが発生する場合もあり得る。
【０００３】
そこで、現在、不特定多数の人が出入りする場所、例えば健康ランド、各種トレーニング場等の室内の戸枠に取付けられる扉は、操作者側にのみ開くようにすることによって、上記トラブルの発生を未然に防ぐ工夫が要望されている。
【０００４】
【発明が解決しようとする課題】
本発明は以上のような従来の要望点に鑑み、第１の目的は、扉を開けようとする場合に、操作部材を操作する操作者側にしか扉が開かない扉用錠箱のラッチボルト出没機構を提供することである。第２の目的は、ボルト駆動体をラッチボルトとデッドボルトの両部材にそれぞれ関連させ、ボルト駆動体の常態時にはラッチボルトを錠箱に後退させることができると共に、デッドボルトを錠箱から突出させることができ、また扉を開くために操作部材を操作した場合には、当該操作部材と一体のボルト駆動体のみを作動させ、当該ボルト駆動体の回転駆動に起因してデッドボルトを錠箱に後退させることができると共に、操作者の室内側にのみ扉を開くことを許容する１のラッチボルトを錠箱から突出させることができることである。
【０００５】
【課題を解決するための手段】
本発明の扉用錠箱のラッチボルト出没機構は、錠箱内にトリガー及び該トリガーによって回動し、かつ、デッドボルトの係合部と係合する係止レバーを備える扉用錠箱のラッチボルト出没機構に於いて、デッドボルト１５と常時係合する係合アーム部３０を有すると共に、独立したハンドルカム軸２５、２６にそれぞれ一体的に取付けられた１組の第１及び第２ボルト駆動体２１、２２と、これらのボルト駆動体のカム部３１にそれぞれ摺接するように配設され、かつ、回転する第１又は第２ボルト駆動体２１、２２の駆動力にそれぞれ対応して水平移動する第１及び第２可動支持片３６、３７と、これらの可動支持片にそれぞれ水平状態に支持され、かつ、バネ部材４６、４７のバネ力によりこれらの可動支持片にそれぞれ追従する第１及び第２ラッチボルト４１、４２とを備え、前記ラッチボルト４１、４２の係合先端部４３は、操作者が扉３を自己が現に居る室内側に開くことができるようにそれぞれ反対向きに設定されている。
【０００６】
また本発明の扉用錠箱のラッチボルト出没機構は、錠箱内にトリガー及び該トリガーによって回動し、かつ、デッドボルトの係合部と係合する係止レバーを備える扉用錠箱のラッチボルト出没機構に於いて、デッドボルト１５と常時係合する係合アーム部３０を有すると共に、独立したハンドルカム軸２５、２６にそれぞれ一体的に取付けられた２枚で１組の第１及び第２ボルト駆動体２１、２２と、これらのボルト駆動体のカム部３１にそれぞれ摺接するように配設され、かつ、回転する第１又は第２ボルト駆動体２１、２２の駆動力にそれぞれ対応して水平移動する第１及び第２可動支持片３６、３７と、これらの可動支持片にそれぞれ水平状態に支持され、かつ、係合先端部４３と可動支持片との間に設けられラッチバネのバネ力によりこれらの可動支持片にそれぞれ追従して錠箱から突出する第１及び第２ラッチボルト４１、４２と、操作部材の普通一般の常態時に、これらのラッチボルトを錠箱内へと後退させるために前記可動支持片にそれぞれ一端部が取付けられた復帰バネ４７とを備え、前記ラッチボルトの係合先端部４３は、操作者が扉３を自己が現に居る室内側に開くことができるようにそれぞれ反対向きに設定されている。
【０００７】
上記構成に於いて、第１及び第２ラッチボルト４１、４２は、操作部材の非操作時には復帰バネ４７のバネ力により錠箱内に後退し、一方、操作部材の操作時には、当該操作部材の操作に起因して作動するボルト駆動体及び可動支持片側のラッチボルトのみが錠箱から突出することを特徴とする。また錠箱に設けられたデッドボルト１５は、操作部材の普通一般の常態時には、錠箱内に設けたバネ支持板１９の付勢バネ１７のバネ力により突出し、一方、操作部材の操作時には、当該操作部材の操作に起因して作動するボルト駆動体２１（又は２２）の係合アーム部３０により錠箱内に引き戻されることを特徴とする。さらに、前記デッドボルト１５は、受け金具２の係止孔６に係合する立方体形状の係合頭部１５ａと連設する杆状胴体部１５ｂを有し、この杆状胴体部１５ｂの上部には係合部１６が形成され、この係合部１６には、受け金具２に設けた第１磁性体５の極性に対応して反発する第２磁性体１０を有するトリガー１１の回転によって係止が解かれる係止レバー１３が係合すること特徴とする。
【０００８】
【発明の実施の形態】
以下、図面に示す本発明の実施の形態を第１実施例で説明する。まず図１は扉が扉枠（戸枠）に対向した時の状態を示す概略説明図である。この図１は室内側又は室外側のいずれであっても、扉を戸枠に対して閉めた瞬間の状態を示している。したがって、この状態では、後述するデッドボルトはロックカムによって完全にロックされていない。この図１も含め、明細書に添付した図面は本発明の技術的思想を当業者が実施ができる程度に概略的に示してある。また説明の便宜上、符号の一部に於いて、当業者の用語（例えばデッドボルト、ラッチボルト等）を用いている。
【０００９】
まず、図１を参照に大まかに符号を付すと、１は扉枠で、この扉枠１にはストライク２ａを有するケース状の受け金具２が固定的に取付けられている。一方、３は扉で、この扉３の縦框には錠箱４が固定的に取付けられている。
【００１０】
次に前記扉枠１の受け金具２に設けられた、或いは形成された構成要件について説明する。５は第１磁性体で、例えば比較的磁力の強い永久磁石が使用されている。この第１磁性体５はストライク２ａの上部内面側に固定的に取付けられている。またストライク２ａの中央部にはデッドボルト用の矩形状係止孔６が形成されている。またストライク２ａの下部側には第１ラッチボルト及び第２ラッチボルト用の１つの係合孔７が形成されている。なお、設計如何によっては、前記係合孔７を第１ラッチボルト用と第２ラッチボルト用に区分して設けても良い。
【００１１】
次に前記扉３の錠箱４に設けられた主たる構成要件について説明する。錠箱４は周知のようにケース本体４ａとフロント４ｂとから成る。そこで、図１を基準に錠箱４内に組み込まれた各部材を上方から順番に説明する。１０は第２磁性体である。この第２磁性体１０も第１磁性体５と同様に永久磁石が用いられている。第２磁性体１０は第１磁性体５に対峙するようにフロント４ｂの上部内面側に多少離間して位置するトリガー１１に固定的に取付けられいる。本実施例では図１で示すように第２磁性体１０が第１磁性体５に対峙すると、両磁性体はその極性に対応して互いに反発する。したがって、ケース本体４ａに枢軸（第１枢軸）１２を介して軸支されたトリガー１１は、時計方向に瞬間的に反発回転する。そこで、トリガー１１は枢軸１２を基準に第２磁性体１０を有する指部１１ａと、この指部１１ａに連設する下方の駆動係合部１１ｂとを有する。
【００１２】
１３はトリガー１１とデッドボルト１５とにそれぞれ関わり合うようにケース本体４ａに枢軸（第２枢軸）１４を介して軸支された係止レバーである。係止レバー１３は枢軸１４を基準に前記トリガー１１の駆動係合部１１ｂと係合する突起状係合部１３ａと、この係合部１３ａに連設しかつデッドボルト１５のラック歯面１６と係脱する係合爪部１３ｂとから成る。この係止レバー１３は常態ではバネ部材９でその係合爪部１３ｂがラック歯面１６と係合する方向に付勢されている。図１ではトリガー１１は磁性体の反発力で時計方向に回転するために、その駆動係合部１１ｂで反時計方向に回され、係合爪部１３ｂがラック歯面１６から多少離れている。その結果、係止レバー１３によって係止が解除されたデッドボルト１５は、付勢バネ１７のバネ力により、錠箱４のフロント４ｂから飛び出し、扉枠１側の受け金具２の係止孔６に入り込む。
【００１３】
デッドボルト１５は、錠箱４の中央部にフロント４ｂから出没可能に設けられている。デッドボルト１５は、普通一般の錠のように、ケース本体４ａに形成された図示しない案内水平長孔に係合するガイドピン及びフロント４ｂの係止孔縁部にそれぞれ支持された状態で水平移動する。
【００１４】
本実施例に於けるデッドボルト１５は、デッドボルト用係止孔６に係合する立方体形状の係合頭部１５ａと、この係合頭部１５ａの上部からケース本体４ａの内部（背面）に向かって水平状態に連設する杆状胴体部１５ｂと、この胴体部に連設する腰部１５ｃと、この腰部１５ｃに連設する係合脚部１５ｄとから成る。
【００１５】
しかして、前記杆状胴体部１５ｂの上部にはラック歯面（ラック歯列）１６が形成され、このラック歯面１６には係止レバー１３の係合爪部１３ｂが係脱する。また腰部１５ｃには弧状或いはテーパー状係合面１８が形成され、この係合面１８には、キー又はサムターンで回転するデッドボルト用ロックカム２０のロックアーム２０ａが係合する。さらに、係合脚部１５ｄの下部はボルト駆動体２１の係合アーム部と係合するように段差状に形成されている。
【００１６】
前述したデッドボルト用付勢バネ１７は、杆状胴体部１５ｂの下方に水平状態に配設され、その一端部はケース本体４ａ内に適宜に固定されたバネ支持板１９に取付けられている。デッドボルト１５は、該付勢バネ１７のバネ力によりフロント４ｂから突出した後、例えばサムターンを介して回転するロックカム２０によりロックされる。
【００１７】
２枚で１組のボルト駆動体２１、２２は、錠箱４内の下方中央部に１つのデッドボルト１５にそれぞれ関わり合うように対向配設されている。ここでは説明の便宜上、内側のハンドルカム軸２５によって回動するボルト駆動体を第１のボルト駆動体２１とし、一方、外側のハンドルカム軸２６によって回動するボルト駆動体を第２のボルト駆動体２２とする。ハンドルカム軸２５、２６はそれぞれ独立しており、周知のようにこれらのハンドルカム軸２５、２６には、回転支承部を介し、操作部材（ノブ、ハンドル）の一例としての内側レバーハンドル２７、外側レバーハンドル２８がそれぞれ一体的に連結される。
【００１８】
したがって、デッドボルト１５は、内側レバーハンドル２７を回転操作すると第１ボルト駆動体２１により、また外側レバーハンドル２８を回転操作すると第２ボルト駆動体２２により錠箱４内に戻される。つまり、デッドボルト１５は、内側又は外側レバーハンドル２７、２８のいずれの回転操作によっても付勢バネ１７のバネ力に抗してケース本体４ａ内へと後退移動する。
【００１９】
ところで、以下に説明するボルト駆動体、可動支持板、ラッチボルト、ラッチバネ、復帰バネは第１と第２に区別することができるが、形態及び機能は略同一なので、例えば第１ボルト駆動体２１等の形態のみを説明し、第２ボルト駆動体２２等の形態には同一の符号を付して便宜上重複する説明を省略する。
【００２０】
第１ボルト駆動体２１は、ハンドルカム軸２５を基準にすると、上方に伸びる係合アーム部３０と、この係合アーム部の下方に連設する一側膨出状のカム部３１とを有する。係合アーム部３０は、回転軌道を描きながらデッドボルト１５の係合脚部１５ｄに係合し、一方、カム部３１はケース本体４ａの少なくとも１つの水平案内部（水平案内溝、水平案内長孔等）３５に案内されるアングル状可動支持片３６をフロント４ｂ側にプッシュする。
【００２１】
前記可動支持片も便宜上、第１ボルト駆動体２１の駆動力により水平移動する第１可動支持片３６と、第２ボルト駆動体２２の駆動力により水平移動する第２可動支持片３７に区別される。したがって、ここでは、第１可動支持片３６の移動に追従して水平移動する部材を第１ラッチボルト４１、第２可動支持片３７の移動に追従して水平移動する部材を第２ラッチボルト４２とする。
【００２２】
これらの区分けから理解することができるように、第１ボルト駆動体２１、第１可動支持片３６及び第１ラッチボルト４１は、内側レバーハンドル２７を回転操作すると作動し、一方、第２ボルト駆動体２２、第２可動支持片３７及び第２ラッチボルト４２は、外側レバーハンドル２８を回動操作すると作動する。
【００２３】
ところで、第１可動支持片３６と第２可動支持片３７は、それぞれ独立してケース本体４ａの水平案内部３５に支持されている。この場合、本実施例では両方の可動支持片３６、３７は互いに干渉し合わないように上下に対称的に配設されている。そして、これらの可動支持片３６、３７の水平板部３８はそれぞれボルト駆動体２１、２２に当接し、一方、垂直板部３９にはラッチボルト４１、４２がそれぞれ水平状態に取付けられている。
【００２４】
ラッチボルト４１、４２は、ストッパー面４３ａとスライド傾斜面４３ｂとを有する係合先端部４３と、この係合先端部に一体的に設けられ、かつ、前記垂直板部３９の貫通孔を貫通する水平杆部４４と、この水平杆部の前記垂直板部３９を貫通した後端部のストッパー用ナット４５とから成る。
【００２５】
しかして、上方に位置する第１ラッチボルト４１と、下方に位置する第２ラッチボルト４２とは、それらの係合先端部４３が互いに逆向きになるようにそれぞれの可動支持片３６、３７に設けられている。本実施例では第１ラッチボルト４１の係合先端部４３のスライド傾斜面４３ｂは内側（例えばハンドルを操作する人を基準にした室内側）に向き、これに対し、第２ラッチボルト４２の係合先端部４３のスライド傾斜面４３ｂは外側（例えば同様に室外側）に向いている。
【００２６】
ラッチボルト４１、４２を押動するためのラッチバネ（例えば圧縮コイルバネ）４６は、係合先端部４３と垂直板部３９との間に位置する水平杆部４４に巻装され、またラッチボルト４１、４２を錠箱４内に戻すための復帰バネ４７は、フロント４ｂと可動支持片の垂直板部３９との間に適宜に設けられている。
【００２７】
上記構成に於いて、例えばレバーハンドルを操作する人を基準に、具体的には突出するラッチボルト４１（４２）を基準に室内側かそれとも室外側かを決めると、図６で示すようにレバーハンドル２７（２８）操作し、これによりハンドルカム軸２５（２６）と共にボルト駆動体２１（２２）が回転し、これにより可動支持片３６（３７）がケース本体４ａの水平案内部３５に案内されながらフロント４ｂ側にスライド前進し、これによりラッチバネ４６のバネ力により係合先端部４３が受け金具２の係合孔７に係合した場合に、移動したラッチボルトのスライド傾斜面４３ｂが見える方が室内側であり、一方、ストッパー面４３ａの方が室外側である。
【００２８】
普通一般に扉を開けようとレバーハンドルを下方に操作した場合には、ラッチボルトは受け金具の係合孔から抜け、錠箱内へと後退するのであるが、本発明の発想は全くその逆である。すなわち、本発明の技術的原理は、常態では複数個のラッチボルト４１、４２は錠箱４内に後退しており、操作者が１つの室内からレバーハンドルを操作すると、錠箱４内のボルト駆動体２１、２２のいずれか一方が駆動し、その結果、前記ラッチボルト４１、４２のいずれか一方が錠箱４から突出し、受け金具２の係合孔７に係合する。
【００２９】
しかして、今仮に図６で示すように内側レバーハンドル２７を操作すると、第１ボルト駆動体２１が時計方向へ回転する。そうすると、第１ボルト駆動体２１によりデッドボルト１５が付勢バネ１７のバネ力に抗して錠箱４内へと後退する。一方、第１ラッチボルト４１は第１可動支持片３６及びラッチバネ４６を介して錠箱４から飛び出し、受け金具２の係合孔７に係合する。
【００３０】
そこで、内側レバーハンドル２７を操作した者が、扉３を手前（内）側に引いた場合にはスライド傾斜面４３ｂがストライク２ａの係合孔７の縁部を摺接するので、第１ラッチボルト４１はラッチバネ４６のバネ力に抗して後退する。したがって、第１ラッチボルト４１が突出状態でも扉１を手前側に開くことができる。しかしながら、ハンドル操作者が扉３を外側に押した場合にはストッパー面４３ａがストライク２ａの係合孔７の縁部と面接触しているので、扉３は開かない。
【００３１】
以上の説明は外側レバーハンドル２８を操作した場合にも全く当てはまる。すなわち、外側レバーハンドル２８を操作した場合には、第２の各部材が作動し、その結果、第２ラッチボルト４２が錠箱４から飛び出し、受け金具２の係合孔７に係合する。
【００３２】
ここで、デッドボルト１５とトリガー１１との係脱機構について簡単に説明する。
【００３３】
図１を参照に説明したように、扉３を扉枠１に対して閉めた時は第１磁性体５に対して反発回転するトリガー１１により係止レバー１３は反時計方向へ回転し、その結果、係止を解除されたデッドボルト１５は付勢バネ１７のバネ力に抗して突出する。したがって、図５で示すように内側レバーハンドル２７を下方に押し下げた状態で扉３を開くと、トリガー１１の第２磁性体１０は第１磁性体から離れるので、バネ部材９により時計方向へ回転した係止レバー１３は、図７で示すようにデッドボルト１５のラック歯面１６と係合する。この場合操作者が内側レバーハンドル２７から手を放し、その結果、第１のボルト駆動体２１が戻ってもデッドボルト１５は係止レバー１３に係止されたままである。
【００３４】
したがって、このように扉３を開いた状態に於いて、操作者が操作部材２７  （２８）から手を放しても、係止レバーは依然ラッチボルトのラック歯面に係止しているので、錠箱に後退したデッドボルト１５は解錠状態のままである。
【００３５】
そこで、扉３を閉めると、図１を参照に説明したように、トリガー１１が磁性体５、１０の反発力で時計方向に回転し、係止レバー１３の係合爪部１３ｂがラック歯面１６から多少離れ、係止レバー１３によって係止が解除されたデッドボルト１５は、付勢バネ１７のバネ力により、錠箱４のフロント４ｂから飛び出し、扉枠１側の受け金具２の係止孔６に入り込む。
【００３６】
【実施例】
第１実施例に於いて、デッドボルト１５が錠箱に後退した場合に、係止レバー１３の係合爪部１３ｂが係合部の一例としてのラック歯面１６に係止し、デッドボルトの解錠状態が維持されるが、デッドボルト１５の胴体部１５ｂにラック歯面１６に代わる適当な係合溝を形成し、この係合溝に係止レバーを係止させても良い。
【００３７】
【発明の効果】
以上の説明から明らかなように、本発明にあっては次に列挙するような効果がある。
（１）扉を開けようとする場合に、操作部材を操作する操作者側にしか扉が開かない。
（２）ボルト駆動体の常態時にはラッチボルトを錠箱に後退させることができると共に、デッドボルトを錠箱から突出させることができる。
（３）また扉を開くために操作部材を操作した場合には、当該操作部材と一体のボルト駆動体のみが作動し、当該ボルト駆動体の回転駆動に起因してデッドボルトが錠箱に後退すると共に、操作者の室内側にのみ扉を開くことを許容するラッチボルトを錠箱から突出させることができる。
（４）請求項５記載の発明は、扉を開いた時には、係止レバーをラッチボルトのラック歯面に係止させ、デッドボルトが錠箱に後退したデッドボルトの解錠状態を保持することができる反面、扉を閉じた時には、瞬間的にトリガーを反発回転させ、デッドボルトに対する係止レバーの係止を解除させることができる。
【図面の簡単な説明】
図１乃至図９は本発明の一実施例を示す各説明図。
【図１】扉を閉じた瞬間の一部概略断面説明図。
【図２】図１の要部の拡大説明図。
【図３】デッドボルトが突出した状態の説明図。
【図４】本発明の主要部の斜視からの説明図。
【図５】第１ボルト駆動体が突出した状態の説明図。
【図６】図５の要部の拡大説明図。
【図７】第１ボルト駆動体が後退した状態の説明図。
【図８】デッドボルトが突出する時の説明図。
【図９】第２ボルト駆動体が突出した状態の説明図。
【符号の説明】
１…扉枠、２…受け金具、３…扉、４…錠箱、５…第１磁性体、６…係止孔、７８…係合孔、１０…第２磁性体、１１…トリガー、１３…係止レバー、１５…デッドボルト、１６…ラック歯面、１７…付勢バネ、１９…バネ支持板、２０…ロックカム、２１…第１ボルト駆動体、２２…第２ボルト駆動体、２５…（内側）ハンドルカム軸、２６…外側ハンドルカム軸、２７…（内側）レバーハンドル、２８…（外側）レバーハンドル、３０…係合アーム部、３１…カム部、３６…第１可動支持板、３７…第２可動支持板、４１…第１ラッチボルト、４２…第２ラッチボルト、４６…ラッチバネ、４７…復帰バネ。
【図１】
0003841374.tif 000002
【図２】
0003841374.tif 000003
【図３】
0003841374.tif 000004
【図４】
0003841374.tif 000005
【図５】
0003841374.tif 000006
【図６】
0003841374.tif 000007
【図７】
0003841374.tif 000008
【図８】
0003841374.tif 000009
【図９】
0003841374.tif 000010